(57)【要約】      （修正有）【課題】使用時におけるユーザの負担を軽減しながら、輸送時および保管時に嵩張るのを抑制可能な使い捨て収容具を提供する。【解決手段】この使い捨て収容具１は、検体分析装置によって使用されたキュベットを廃棄のために収容する使い捨て収容具１であって、矩形形状の底面部と、底面部の各辺のそれぞれから連続する４つの側面部（２つの短辺側面部１２および２つの長辺側面部１３）とを備え、４つの側面部のうち対向する２つの長辺側面部１３には、使い捨て収容具を、上部が開放された箱形状と、扁平形状とに変形させる折り目１５が設けられている。【選択図】図２
0003162942.tif 000002
【実用新案登録請求の範囲】
【請求項１】
検体分析装置によって使用された使い捨て部品を廃棄のために収容する使い捨て収容具であって、
矩形形状の底面部と、
前記底面部の各辺のそれぞれから連続する４つの側面部とを備え、
前記４つの側面部のうち対向する２つの第１側面部には、前記使い捨て収容具を、上部が開放された箱形状と、扁平形状とに変形させる折り目が設けられている、使い捨て収容具。
【請求項２】
前記折り目は、前記側面部を立てる１回の操作によって、前記使い捨て収容具を前記扁平形状から前記箱形状に変形させるように設けられている、請求項１に記載の使い捨て収容具。
【請求項３】
前記扁平形状にある状態において、前記折り目が設けられた２つの前記第１側面部を前記使い捨て収容具の外側から内側に向かう内折れ方向に操作することにより、前記扁平形状から前記箱形状に変形するように構成されている、請求項２に記載の使い捨て収容具。
【請求項４】
前記扁平形状にある状態において、前記折り目が設けられていない対向する２つの第２側面部を前記使い捨て収容具の内側から外側に向かう外折れ方向に操作することにより、前記扁平形状から前記箱形状に変形するように構成されている、請求項２または３に記載の使い捨て収容具。
【請求項５】
前記検体分析装置の使い捨て収容具設置部に設置された状態で、前記箱形状の前記側面部が立った状態が保持されるように構成されている、請求項１〜４のいずれか１項に記載の使い捨て収容具。
【請求項６】
前記折り目は、前記２つの第１側面部に２つずつ、前記側面部下辺の端部から前記側面部上辺まで斜めに直線状に設けられている、請求項１〜５のいずれか１項に記載の使い捨て収容具。
【請求項７】
前記２つの第１側面部が、前記底面部に対して前記使い捨て収容具の内側から外側に向かう外折れ方向に折れるとともに、
前記折り目が設けられていない対向する２つの第２側面部が、前記底面部に対して前記使い捨て収容具の外側から内側に向かう内折れ方向に折れることにより、前記扁平形状に変形するように構成されている、請求項１〜６のいずれか１項に記載の使い捨て収容具。
【請求項８】
前記第１側面部の下辺の長さは、前記２つの第２側面部の下辺から上辺までの長さの合計よりも大きい、請求項７に記載の使い捨て収容具。
【請求項９】
前記４つの側面部は、それぞれ前記箱形状において上部ほど外側に広がるように傾斜している、請求項１〜８のいずれか１項に記載の使い捨て収容具。
【請求項１０】
前記側面部は、外形線が下端部から上端部まで略直線状に延びるように形成されている、請求項９に記載の使い捨て収容具。
【請求項１１】
前記底面部の上面および前記４つの側面部の内面に防水層を備える、請求項１〜１０のいずれか１項に記載の使い捨て収容具。
【請求項１２】
前記４つの側面部のうちの対向する２つの側面部には、互いに略同一の標識が付されている、請求項１〜１１のいずれか１項に記載の使い捨て収容具。
【請求項１３】
シート状部材が折り曲げられることにより形成されている、請求項１〜１２のいずれか１項に記載の使い捨て収容具。
【請求項１４】
前記シート状部材は、紙からなる、請求項１３に記載の使い捨て収容具。
【請求項１５】
使用時に前記箱形状にして前記検体分析装置に設置された状態において、前記シート状部材が折り曲げられて重ねられた部分が手前側に位置するように形成されている、請求項１３または１４に記載の使い捨て収容具。
【請求項１６】
前記シート状部材が折り曲げられて重ねられた部分が、前記折り目が設けられた前記第１側面部とは異なる側面部に配置されている、請求項１３〜１５のいずれか１項に記載の使い捨て収容具。
【請求項１７】
前記使い捨て部品は、検体を収容するキュベット、またはピペットに装着される分注チップである、請求項１〜１６のいずれか１項に記載の使い捨て収容具。
【請求項１８】
請求項１〜１７のいずれかに記載の複数の使い捨て収容具と、
前記複数の使い捨て収容具を前記扁平形状で厚み方向に重ねて収容する箱部とを備える、使い捨て収容具セット。
【請求項１９】
前記複数の使い捨て収容具は、前記扁平形状で前記底面部のいずれかの辺が前記箱部の底面上に配置された状態で収容されている、請求項１８に記載の使い捨て収容具セット。
【考案の詳細な説明】
【技術分野】
【０００１】
この考案は、使い捨て収容具および使い捨て収容具セットに関し、特に、検体分析装置によって使用された使い捨て部品を廃棄するために収容する使い捨て収容具、および、そのような使い捨て収容具を備える使い捨て収容具セットに関する。
【背景技術】
【０００２】
従来、検体分析装置によって使用された使い捨て部品を廃棄するために収容する使い捨て収容具が知られている（たとえば、特許文献１参照）。
【０００３】
上記特許文献１には、検体分析装置によって使用されたキュベットを廃棄するために収容するディスポーザブルパーツ廃棄箱（使い捨て収容具）が開示されている。このディスポーザブルパーツ廃棄箱は、使用時に、ユーザが予め設けられた折り目に沿ってシート状部材を折り曲げることにより箱形状に組み立てるように構成されている。これにより、シート状のままでディスポーザブルパーツ廃棄箱の輸送および保管が可能であるので、輸送時および保管時に嵩張るのを抑制することが可能である。
【先行技術文献】
【特許文献】
【０００４】
【特許文献１】特開２００８−５１６０７号公報
【考案の概要】
【考案が解決しようとする課題】
【０００５】
しかしながら、上記特許文献１のディスポーザブルパーツ廃棄箱（使い捨て収容具）では、輸送時および保管時に嵩張るのを抑制可能である一方、使用時にユーザがシート状部材を複雑な折り曲げ工程を経て箱形状に組み立てる必要があるので、使用時にユーザの負担が大きくなる。このため、使用時におけるユーザの負担を軽減することが望まれる。
【０００６】
この考案は、上記のような課題を解決するためになされたものであり、この考案の１つの目的は、使用時におけるユーザの負担を軽減しながら、輸送時および保管時に嵩張るのを抑制可能な使い捨て収容具、および、そのような使い捨て収容具を備える使い捨て収容具セットを提供することである。
【課題を解決するための手段および考案の効果】
【０００７】
この考案の第１の局面による使い捨て収容具は、検体分析装置によって使用された使い捨て部品を廃棄のために収容する使い捨て収容具であって、矩形形状の底面部と、底面部の各辺のそれぞれから連続する４つの側面部とを備え、４つの側面部のうち対向する２つの第１側面部には、使い捨て収容具を、上部が開放された箱形状と、扁平形状とに変形させる折り目が設けられている。
【０００８】
この考案の第１の局面による使い捨て収容具では、上記のように、使い捨て収容具を上部が開放された箱形状と、扁平形状とに変形させる折り目を４つの側面部のうち対向する２つの第１側面部に設けることによって、使用時にユーザが第１側面部を折り目に沿って鉛直方向に立てるだけで扁平形状から箱形状に変形させて使い捨て収容具として使用することができる。これにより、使用時にユーザがシート状部材を複雑な折り曲げ工程を経て使い捨て収容具を組み立てる必要がないので、使い捨て収容具の使用時におけるユーザの負担を軽減することができる。また、輸送時および保管時には、使い捨て収容具を扁平形状に変形させた状態で重ねることができるので、輸送時および保管時に嵩張るのを抑制することができる。したがって、この使い捨て収容具では、使用時におけるユーザの負担を軽減しながら、輸送時および保管時に嵩張るのを抑制することができる。
【０００９】
上記第１の局面による使い捨て収容具において、好ましくは、折り目は、側面部を立てる１回の操作によって、使い捨て収容具を扁平形状から箱形状に変形させるように設けられている。このように構成すれば、ユーザは使用時に側面部を立てる１回の操作を行うだけで使い捨て収容具を扁平形状から箱形状に変形させることができるので、使用時にユーザに負担が掛かるのをさらに抑制することができる。
【００１０】
この場合において、好ましくは、扁平形状にある状態において、折り目が設けられた２つの第１側面部を使い捨て収容具の外側から内側に向かう内折れ方向に操作することにより、扁平形状から箱形状に変形するように構成されている。このように構成すれば、ユーザは、折り目が設けられた２つの第１側面部を外側から内側に押すだけで使い捨て収容具を箱形状に変形させることができるので、容易に使い捨て収容具を扁平形状から箱形状（使用状態）に変形させることができる。
【００１１】
上記１回の操作によって使い捨て収容具を扁平形状から箱形状に変形させる構成において、好ましくは、扁平形状にある状態において、折り目が設けられていない対向する２つの第２側面部を使い捨て収容具の内側から外側に向かう外折れ方向に操作することにより、扁平形状から箱形状に変形するように構成されている。このように構成すれば、ユーザは、折り目が設けられていない２つの第２側面部を内側から外側に押すだけで使い捨て収容具を箱形状に変形させることができるので、容易に使い捨て収容具を扁平形状から箱形状（使用状態）に変形させることができる。
【００１２】
上記第１の局面による使い捨て収容具において、好ましくは、検体分析装置の使い捨て収容具設置部に設置された状態で、箱形状の側面部が立った状態が保持されるように構成されている。このように構成すれば、折り目によって使い捨て収容具を箱形状と扁平形状とに変形させるように構成した場合にも、検体分析装置の使い捨て収容具設置部に使い捨て収容具が設置された使用中に、使い捨て収容具が箱形状から扁平形状に変形してしまうのを有効に抑制することができる。
【００１３】
上記第１の局面による使い捨て収容具において、好ましくは、折り目は、２つの第１側面部に２つずつ、側面部下辺の端部から側面部上辺まで斜めに直線状に設けられている。このように構成すれば、折り目が単純な斜めの直線状に設けられることにより折り曲げが容易となるので、ユーザが使い捨て収容具を容易に変形させることができる。
【００１４】
上記第１の局面による使い捨て収容具において、好ましくは、２つの第１側面部が、底面部に対して使い捨て収容具の内側から外側に向かう外折れ方向に折れるとともに、折り目が設けられていない対向する２つの第２側面部が、底面部に対して使い捨て収容具の外側から内側に向かう内折れ方向に折れることにより、扁平形状に変形するように構成されている。このように構成すれば、使い捨て収容具が扁平形状に変形された場合に、第２側面部と底面部とが重なるとともに、第１側面部と底面部とは重ならずに第１側面部が折り目を境界として重なるように折り畳まれる。これにより、たとえば第１側面部および第２側面部の両方を内折れ方向に折って互いに重なり、かつ、底面部とも重なるように扁平形状に変形させる場合と比べて、使い捨て収容具の扁平形状での厚みを小さく（薄く）することができる。
【００１５】
この場合において、好ましくは、第１側面部の下辺の長さは、２つの第２側面部の下辺から上辺までの長さの合計よりも大きい。このように構成すれば、２つの第２側面部の高さ（下辺から上辺までの長さ）の合計よりも第１側面部の下辺の長さが大きくなるので、対向する２つの第２側面部が内折れ方向に折れた状態で、２つの第２側面部が互いに重なり合うことがない。これにより、使い捨て収容具の扁平形状での厚みが増加するのを抑制することができる。
【００１６】
上記第１の局面による使い捨て収容具において、好ましくは、４つの側面部は、それぞれ箱形状において上部ほど外側に広がるように傾斜している。このように構成すれば、検体分析装置の使い捨て収容具設置部が箱形状を有する場合に、ユーザが使い捨て収容具の底面部を箱状の使い捨て収容具設置部に挿入するのが容易になる。これにより、検体分析装置に設置しやすい使い捨て収容具を提供することができる。
【００１７】
この場合において、好ましくは、側面部は、外形線が下端部から上端部まで略直線状に延びるように形成されている。このように構成すれば、側面部が上部ほど外側に広がる構成において、側面部の外形線に段差などが形成されないので、ユーザが使い捨て収容具の底面部を検体分析装置の使い捨て収容具設置部に挿入するのがさらに容易になる。これにより、検体分析装置に設置しやすい使い捨て収容具を提供することができる。
【００１８】
上記第１の局面による使い捨て収容具において、好ましくは、底面部の上面および４つの側面部の内面に防水層を備える。このように構成すれば、使い捨て収容具が箱形状にある場合に、谷折りとなる内面側に防水層が設けられるので、外面側に防水層が設けられる場合と比較して、防水層が底面部と側面部との境界で切れてしまうのを抑制することができる。
【００１９】
上記第１の局面による使い捨て収容具において、好ましくは、４つの側面部のうちの対向する２つの側面部には、互いに略同一の標識が付されている。このように構成すれば、対向する２つの側面部のうちの一方の標識が視認可能な状態で使い捨て収容具が設置される場合において、対向する２つの側面部の位置が互いに入れ替わった状態で使い捨て収容具が設置されたとしても、２つの側面部の両方に略同一の標識が付されているので、ユーザが標識を確実に認識することができる。すなわち、使い捨て収容具が設置される向きに関わらず、ユーザに標識を確実に認識させることができる。
【００２０】
上記第１の局面による使い捨て収容具において、好ましくは、シート状部材が折り曲げられることにより形成されている。このように構成すれば、容易に、部材点数が増加するのを抑制することができる。したがって、この使い捨て収容具では、使用時にユーザに負担が掛かるのを抑制しながら、輸送時および保管時に嵩張るのを抑制し、かつ、部材点数が増加するのを抑制することができる。
【００２１】
この場合において、好ましくは、シート状部材は、紙からなる。このように構成すれば、金属や樹脂を用いる場合に比べて重量を軽くすることができるので、ユーザが取り扱いやすくなる。また、天然素材の紙を用いることによって、合成樹脂などの人工的な素材を用いる場合に比べて自然環境に対する負荷を軽減することができる。
【００２２】
上記シート状部材が折り曲げられることにより形成される構成において、好ましくは、使用時に箱形状にして検体分析装置に設置された状態において、シート状部材が折り曲げられて重ねられた部分が手前側に位置するように形成されている。このように構成すれば、折り曲げられて重ねられることにより機械的強度が大きくなる部分がユーザにより近い手前側に配置されるので、ユーザは使い捨て収容具の機械的強度が大きい部分を把持しやすくなる。これにより、ユーザは、機械的強度が大きい部分を把持して使い捨て収容具を安定して取り扱うことができる。
【００２３】
上記シート状部材が折り曲げられることにより形成される構成において、好ましくは、シート状部材が折り曲げられて重ねられた部分が、折り目が設けられた第１側面部とは異なる側面部に配置されている。このように構成すれば、折り曲げられて重ねられることにより機械的強度が大きくなる部分が第１側面部とは異なる側面部に配置されるので、折り目が設けられた第１側面部は折り畳みが容易となる。これにより、使い捨て収容具を単一のシート状部材を折り曲げることにより形成する場合にも、ユーザは、折り目に沿った箱形状と扁平形状との変形を容易に行うことができる。
【００２４】
上記第１の局面による使い捨て収容具において、好ましくは、使い捨て部品は、検体を収容するキュベット、またはピペットに装着される分注チップである。このように構成すれば、使用時にユーザに負担が掛かるのを抑制しながら、輸送時および保管時に嵩張るのを抑制することが可能な、キュベットまたは分注チップの廃棄用の使い捨て収容具を得ることができる。
【００２５】
この考案の第２の局面による使い捨て収容具セットは、上記構成を有する複数の使い捨て収容具と、複数の使い捨て収容具を扁平形状で厚み方向に重ねて収容する箱部とを備える。
【００２６】
この第２の局面による使い捨て収容具セットでは、上記のように、複数の使い捨て収容具を扁平形状で厚み方向に重ねて収容する箱部を設けることによって、使い捨て収容具を扁平形状で重ねて箱部に収納することができるので、使い捨て収容具セットの輸送時および保管時に嵩張るのを抑制することができる。また、使用時には、ユーザが第１側面部を折り目に沿って鉛直方向に立てるだけで扁平形状から箱形状に変形させて使い捨て収容具として使用することができる。これにより、使用時にユーザがシート状部材を複雑な折り曲げ工程を経て使い捨て収容具を組み立てる必要がなく、使用時におけるユーザの負担を軽減することができる。したがって、この使い捨て収容具セットでは、使用時におけるユーザの負担を軽減しながら、輸送時および保管時に嵩張るのを抑制することができる。
【００２７】
上記第２の局面による使い捨て収容具セットにおいて、好ましくは、複数の使い捨て収容具は、扁平形状で底面部のいずれかの辺が箱部の底面上に配置された状態で収容されている。このように構成すれば、扁平形状の状態の使い捨て収容具を箱部内で立てて収容することにより、使用時にユーザが箱部から使い捨て収容具を容易に取り出すことができる。また、この場合に、底面部のいずれかの辺が箱部の底面上に配置されるので、たとえば折り目の設けられた第１側面部が箱部の底面上に配置される場合よりも、輸送時の上下方向の衝撃に対して強くすることができる。
【図面の簡単な説明】
【００２８】
【図１】本考案の一実施形態による使い捨て収容具セットの全体構成を示した斜視図である。
【図２】本考案の一実施形態による使い捨て収容具セットの使い捨て収容具の全体構成を示した斜視図である。
【図３】本考案の一実施形態による使い捨て収容具セットの使い捨て収容具を示した側面図である。
【図４】本考案の一実施形態による使い捨て収容具セットの使い捨て収容具を示した正面図である。
【図５】本考案の一実施形態による使い捨て収容具セットの使い捨て収容具を扁平形状に変形させた状態を示した図である。
【図６】本考案の一実施形態による使い捨て収容具セットの使い捨て収容具を設置する検体分析装置の廃棄ボックスを示した斜視図である。
【図７】本考案の一実施形態による使い捨て収容具セットの使い捨て収容具を検体分析装置の廃棄ボックスに設置した状態を示した斜視図である。
【図８】本考案の一実施形態による使い捨て収容具セットの使い捨て収容具が検体分析装置の内部に位置する場合における、図７の５００−５００線に沿った概略断面図である。
【図９】本考案の一実施形態による使い捨て収容具セットの使い捨て収容具の箱形状と扁平形状との変形を説明するための斜視図である。
【図１０】本考案の一実施形態による使い捨て収容具セットの使い捨て収容具の展開図である。
【図１１】本考案の一実施形態による使い捨て収容具セットの使い捨て収容具の組み立て手順を説明するための図である。
【図１２】本考案の一実施形態による使い捨て収容具セットの使い捨て収容具の組み立て手順を説明するための図である。
【図１３】本考案の一実施形態による使い捨て収容具セットの使い捨て収容具の組み立て手順を説明するための図である。
【図１４】本考案の一実施形態による使い捨て収容具セットの使い捨て収容具の組み立て手順を説明するための図である。
【図１５】本考案の一実施形態による使い捨て収容具セットの使い捨て収容具の組み立て手順を説明するための図である。
【図１６】本考案の一実施形態による使い捨て収容具セットの使い捨て収容具の輸送時（出荷時）の手順を説明するための図である。
【図１７】本考案の一実施形態による使い捨て収容具セットの全体構成を示した正面図である。
【考案を実施するための形態】
【００２９】
以下、本考案を具体化した実施形態を図面に基づいて説明する。
【００３０】
まず、図１〜図９を参照して、本考案の一実施形態による使い捨て収容具セット１００の全体構成について説明する。
【００３１】
本実施形態による使い捨て収容具セット１００は、図１に示すように、使い捨て収容具１と、使い捨て収容具１を収容する箱部２とにより構成されている。この使い捨て収容具セット１００は、扁平形状に変形された２０個の使い捨て収容具１が厚み方向に重ねられて箱部２に収容された状態でユーザに提供される。また、使い捨て収容具セット１００は、使い捨て収容具１が箱部２に収容された状態で輸送および保管が可能に構成されている。
【００３２】
使い捨て収容具１は、図２および図５に示すように、使用時の上部が開放された箱形状と、非使用時（輸送時および保管時）の扁平形状とに変形することが可能に構成されている。また、使い捨て収容具１は、後述するように、検体分析装置２００（図６〜図８参照）において検体を収容する使い捨てのキュベット３００（図８参照）を廃棄のために収容するように構成されている。また、使い捨て収容具１は、図２〜図４に示すように、矩形形状の底面部１１（図３および図４参照）と、底面部１１の対向する２つの短辺から連続する２つの短辺側面部１２と、底面部１１の対向する２つの長辺から連続する２つの長辺側面部１３とを備えている。本実施形態では、２つの長辺側面部１３には、それぞれ２つずつ、使い捨て収容具１を箱形状（図２参照）と扁平形状（図５参照）とに変形させるための折り目１５が設けられている。また、使い捨て収容具１は、箱形状の状態で、側面部（２つの短辺側面部１２および２つの長辺側面部１３）が底面部１１から上方に向かって四方に広がるように設けられることによって、下部から上部に向かって内側寸法が大きくなるように構成されている。
【００３３】
具体的には、底面部１１は、短辺が約１４０ｍｍ、長辺が約２４０ｍｍの長方形形状に形成されている。
【００３４】
２つの短辺側面部１２は、図２および図４に示すように、互いに対向するように配置されている。また、２つの短辺側面部１２は、上部ほどＸ方向（長手方向）の外側に広がるように底面部１１に対して傾斜して設けられている。また、２つの短辺側面部１２は、図４に示すように、外形線が下端部から上端部まで略直線状に延びるように形成されている。具体的には、２つの短辺側面部１２は、底面部１１が水平面上に設置された状態で、鉛直方向に対して角度α（約２度）Ｘ方向の外側に傾斜している。また、２つの短辺側面部１２は、約１００ｍｍの高さ（下辺から上辺までの長さ）を有している。したがって、本実施形態では、長辺側面部１３の下辺（底面部１１の長辺）の長さ（約２４０ｍｍ）が、２つの短辺側面部１２の高さ（下辺から上辺までの長さ）の合計（約２００ｍｍ）よりも大きくなる。また、対向する２つの短辺側面部１２の内側表面には、互いに同一の標識（図２および図１０参照）が付されている。具体的には、短辺側面部１２の内側表面の上部の右側には、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）に準拠した注意を喚起する注意マーク１２ａが付されており、内側表面の上部の左側には、バイオハザードの危険性があることを知らせるＩＳＯに準拠したバイオハザードマーク１２ｂが付されている。
【００３５】
また、２つの長辺側面部１３は、図２および図３に示すように、互いに対向するように配置されている。また、２つの長辺側面部１３は、上部ほどＹ方向（短手方向）の外側に広がるように底面部１１に対して傾斜して設けられている。また、２つの長辺側面部１３は、図３に示すように、外形線が下端部から上端部まで略直線状に延びるように形成されている。具体的には、２つの長辺側面部１３は、底面部１１が水平面上に設置された状態で、鉛直方向に対して角度β（約２度）Ｙ方向の外側に傾斜している。また、２つの長辺側面部１３は、短辺側面部１２と同様に、約１００ｍｍの高さ（下辺から上辺までの長さ）を有している。
【００３６】
また、長辺側面部１３に設けられた折り目１５は、図２に示すように、１つの長辺側面部１３に２つずつ、下辺の端部から上辺の中央部まで斜めに直線状に設けられている。本実施形態では、図９に示すように、組み立て後の輸送および保管時に使い捨て収容具１が箱形状から扁平形状に変形される際に、２つの長辺側面部１３が底面部１１に対して外折れ方向（使い捨て収容具１の内側から外側に向かう矢印Ａ１方向）に折れるように構成されている。また、この際、２つの短辺側面部１２が底面部１１に対して内折れ方向（使い捨て収容具１の外側から内側に向かう矢印Ｂ１方向）に折れるように構成されている。したがって、折り目１５は、使い捨て収容具１の内側から見て谷折りになる。この際、長辺側面部１３の下側部１３ａと上側部１３ｂとが、折り目１５を境界として互いに重なり合うように折り畳まれる。また、２つの短辺側面部１２は、互いに重なり合うことなく、それぞれ底面部１１と重なるように折り畳まれる。これにより、使い捨て収容具１が、平面的に見て長方形形状の箱形状（図２参照）から、平面的に見て八角形形状の扁平形状（図５参照）へと変形するように構成されている。扁平形状の状態では、使い捨て収容具１の最大厚み(高さ)は、重なり合う底面部１１と短辺側面部１２の厚みとの合計となる。
【００３７】
また、本実施形態では、折り目１５は、側面部（２つの短辺側面部１２および２つの長辺側面部１３）を立てる１回の操作によって、使い捨て収容具１を扁平形状から箱形状に変形させるように構成されている。具体的には、図９に示すように、使用時に、扁平形状の状態（図５参照）から、ユーザが２つの長辺側面部１３を内折れ方向（使い捨て収容具１の外側から内側に向かう矢印Ａ２方向）に立てる操作を行うことにより、使い捨て収容具１が箱形状に変形するように構成されている。なお、ユーザが２つの短辺側面部１２を外折れ方向（使い捨て収容具１の内側から外側に向かう矢印Ｂ２方向）に立てる操作を行うことによっても、使い捨て収容具１が箱形状に変形するように構成されている。このように、使い捨て収容具１は、使用時に、ユーザが使い捨て収容具１の２つの短辺側面部１２または２つの長辺側面部１３のいずれかを鉛直方向（Ｚ方向）に立てる１回の操作を行うだけで、扁平形状から箱形状に変形する。
【００３８】
また、底面部１１、短辺側面部１２および長辺側面部１３のそれぞれの内側表面には、防水加工が施されている。具体的には、底面部１１、短辺側面部１２および長辺側面部１３のそれぞれの内側表面には、図示しない厚さが約０．０２５ｍｍのＰＰ（ポリプロピレン）フィルムが貼付されている。このため、後述するようにボール紙からなる使い捨て収容具１の外側表面は、ＰＰフィルムが貼付された内側表面よりも表面粗さが大きくなっている。
【００３９】
また、使い捨て収容具１は、図６に示すように検体分析装置２００の廃棄ボックス２０１が手前側（矢印Ｘ１方向側）に引き出された状態で、図７に示すように廃棄ボックス２０１の凹部２０１ａに設置されるように構成されている。また、凹部２０１ａは、平面的に見て矩形形状を有している。また、使い捨て収容具１は、図７および図８に示すように、凹部２０１ａの高さと略同じ高さを有している。また、使い捨て収容具１は、上端部（Ｚ１方向の端部）の外形寸法が凹部２０１ａの内径寸法と略同じ大きさになるように形成されている。また、使い捨て収容具１は、後述するようにボール紙が折り重ねられて形成された短辺側面部１２が手前側（矢印Ｘ１方向側）に位置するように設置される。また、ユーザは、奥側（矢印Ｘ２方向側）に位置する短辺側面部１２の内側表面に付された標識（注意マーク１２ａおよびバイオハザードマーク１２ｂ）を視認することが可能である。
【００４０】
本実施形態では、使い捨て収容具１は、廃棄ボックス２０１の凹部２０１ａに設置された状態で、図２に示す箱形状の側面部（２つの短辺側面部１２および２つの長辺側面部１３）が立った状態が保持されるように構成されている。すなわち、使い捨て収容具１は、外部からの保持力が付与されない状態（単に平面上に置いた場合）では、折り目１５が折り曲げられた状態に戻ろうとする復元力や、各側面部（短辺側面部１２および長辺側面部１３）の自重によって、箱形状から扁平形状に戻ろうとする。つまり、図９に示すように、使い捨て収容具１が箱形状の状態では、長辺側面部１３が矢印Ａ１方向に付勢されている。使い捨て収容具１が箱形状で廃棄ボックス２０１の凹部２０１ａに設置された状態では、長辺側面部１３が凹部２０１ａ（図６参照）の内側面と当接するため、長辺側面部１３が矢印Ａ１方向に倒れないように保持される（外部からの保持力が付与される）。これにより、使い捨て収容具１は、廃棄ボックス２０１の凹部２０１ａに設置された状態で、箱形状から扁平形状に変形してしまうのが抑制される。
【００４１】
なお、本実施形態では、使い捨て収容具１が箱形状から扁平形状に戻ろうとする（長辺側面部１３が矢印Ａ１方向に倒れようとする）付勢力を利用して、廃棄ボックス２０１の凹部２０１ａから使い捨て収容具１を外れにくくすることが可能である。これにより、図８に示すように廃棄ボックス２０１に貯まった使用済みのキュベット３００を廃棄する際に、使い捨て収容具１が設置された廃棄ボックス２０１を上下逆さにしても、使い捨て収容具１が廃棄ボックス２０１から脱落するのを抑制することが可能である。
【００４２】
また、使い捨て収容具１は、廃棄ボックス２０１が矢印Ｘ２方向に移動されて検体分析装置２００内に配置された場合に、検体分析装置２００内に設けられたシュート部２０２の下方に配置される。シュート部２０２は、廃棄用キャッチ部２０３から開放された使用済みのキュベット３００を使い捨て収容具１内に導くために設けられている。そして、使い捨て収容具１は、シュート部２０２により導かれる使用済みのキュベット３００を廃棄のために収容するように構成されている。
【００４３】
また、本実施形態では、使い捨て収容具１は、単一のシート状のボール紙が折り曲げられることにより形成される。このボール紙は、約０．５９ｍｍの厚みを有している。また、本実施形態の使い捨て収容具１では、後述するように、２つの短辺側面部１２はボール紙が折り重ねられて形成されている。一方、折り目１５が設けられた長辺側面部１３は、ボール紙が折り重ねられて形成されていない。このため、短辺側面部１２は、長辺側面部１３に比べて機械的強度が大きくなっている。また、この使い捨て収容具１は、約１ｋｇの内容物（複数のキュベット３００）を収容した状態でユーザが短辺側面部１２の上端部近傍を把持して持ち上げた場合でも、組み立てられた形状が崩れない大きさの強度を有している。
【００４４】
次に、図１０を参照して、使い捨て収容具１を展開した状態について説明する。
【００４５】
図１０に示すように、底面部１１の２つの短辺には、折線４００を介して２つの側面本体部１２１が連結されている。各側面本体部１２１は、折線４００を下底とする台形形状に形成されている。また、各側面本体部１２１は、下底の折線４００よりも上底の折線４０１の方が長さが大きくなるように構成されている。また、各側面本体部１２１には、上記した注意マーク１２ａおよびバイオハザードマーク１２ｂが付されている。また、台形形状の各側面本体部１２１の上底側には、折線４０１を介して側面折込部１２２が連結されている。各側面折込部１２２は、Ｙ方向の両側からＹ方向に延びる２つの切欠部１２２ａを有している。各側面折込部１２２は、折線４０１から２つの切欠部１２２ａまで徐々にＹ方向の幅が小さくなるテーパ形状に形成されている。また、各側面折込部１２２は、２つの切欠部１２２ａよりも外側に形成された折込端部１２２ｂを有している。折込端部１２２ｂは、Ｙ方向に延びるように形成されており、Ｙ方向の両端部が半円形状に面取りされている。
【００４６】
また、底面部１１の２つの長辺には、折線４０２を介して２つの長辺側面部１３が連結されている。各長辺側面部１３は、折線４０２を下底とする台形形状に形成されている。また、各長辺側面部１３は、下底の折線４０２よりも上底（上辺）の方が長さが大きくなるように構成されている。また、折線４０２の両端（長辺側面部１３の下辺の両端）から長辺側面部１３の上辺の中央部まで斜めに直線状の折り目１５が設けられている。
【００４７】
また、２つの側面本体部１２１および２つの長辺側面部１３の間の４箇所には、一対の連結部１４が設けられている。一対の連結部１４の一方は、折線４０３を介して側面本体部１２１に隣接するように設けられている。また、一対の連結部１４の他方は、折線４０４を介して長辺側面部１３に隣接するように設けられている。また、各連結部１４は、略三角形状に形成されている。また、一対の連結部１４は、互いに折線４０５を介して連結されている。また、一対の連結部１４は、折線４０５について互いに線対称の形状に形成されている。また、一対の連結部１４の接続部分の外側端部（折線４０５の外側端部）には、切欠部１４ａが形成されている。これにより、一対の連結部１４を折線４０５に沿って折り曲げやすくなる。
【００４８】
次に、図５および図１０〜図１６を参照して、使い捨て収容具１の製造手順および輸送時（出荷時）の手順について説明する。
【００４９】
まず、図１０に示す展開された状態から、図１１に示すように、底面部１１の周囲の折線４００および４０２に沿って、それぞれ、２つの側面本体部１２１および２つの長辺側面部１３を上方向（矢印Ｚ１方向）に折り曲げる。この際、一対の連結部１４は、折線４０５に沿って折り曲げられて互いに重なる。次に、図１２に示すように、重ねられた一対の連結部１４を、折線４０３（折線４０４）に沿って側面本体部１２１の外側表面に当接するように折り曲げる。そして、図１３に示すように、連結部１４を外側から覆うように側面折込部１２２を折線４０１に沿って外側に折り曲げる。その後、図１４に示すように、折込端部１２２ｂの円形形状の一方端部を側面本体部１２１の外側表面と連結部１４との間に挿入する。次いで、図１５に示すように、折込端部１２２ｂの円形形状の他方端部を側面本体部１２１の外側表面と連結部１４との間に挿入する。このようにして、使い捨て収容具１が箱形状の状態に形成される。
【００５０】
上記のように箱形状に形成された使い捨て収容具１を、輸送時（出荷時）には、図１６に示すように、長辺側面部１３の折り目１５が使い捨て収容具１の内側からみて谷折りになるように折り畳む。すなわち、長辺側面部１３を矢印Ａ１方向に折り曲げて、折り目１５に沿って長辺側面部１３の下側部１３ａと上側部１３ｂとが重なるように折り畳む。この際、折り目１５の谷折れに伴って、短辺側面部１２が折線４００に沿って底面部１１と重なるように矢印Ｂ１方向に折り畳まれる。その結果、箱形状の使い捨て収容具１が扁平形状（図５参照）に変形される。そして、複数の使い捨て収容具１が扁平形状の状態で箱部２に収容された後、輸送（出荷）が行われる。
【００５１】
また、この使い捨て収容具１は、上記のとおり、底面部１１、短辺側面部１２および長辺側面部１３の互いの間が連結されてすべて閉じられた構成であるので、それらの間から液漏れするのを防止することが可能である。また、本実施形態の使い捨て収容具１では、上記のように、接着部材（接着剤や粘着テープなど）を用いることなく、使い捨て収容具１を組み立てることが可能である。
【００５２】
次に、図１および図１７を参照して、箱部２の構成について詳細に説明する。本実施形態の箱部２は、２０個の使い捨て収容具１を収容可能に構成されている。また、箱部２は、扁平形状で底面部１１の短辺が箱部２の底面上に配置された状態で、使い捨て収容具１を立てて収容するように構成されている。したがって、図１に示すように、箱部２は、扁平形状の使い捨て収容具１の厚み方向が箱部２の奥行き方向（Ｄ方向）と一致するようにして、２０個の使い捨て収容具１を厚み方向（Ｄ方向）に重ねて収容するように構成されている。また、箱部２は、図１および図１７に示すように、略直方体形状に形成されており、側方を囲む側面部２１と、上部に設けられた上面蓋部２２と、下部に設けられた底部２３とを有している。また、箱部２は、厚み方向に重ねられた２０個の使い捨て収容具１の扁平形状での外形寸法と略同じ大きさの内形寸法を有している。具体的には、箱部２の高さ方向（Ｈ方向）の内径寸法は、図１７に示すように、使い捨て収容具１の底面部１１の長辺の長さ（扁平形状で使い捨て収容具１を立てた場合の高さ寸法）と略同じ大きさの高さ寸法である。また、箱部２の幅方向（Ｗ方向）の内形寸法は、使い捨て収容具１の２つの長辺側面部１３の高さと底面部１１の短辺の長さとの合計（扁平形状における使い捨て収容具１の幅寸法）と略同じ大きさの幅寸法である。また、図１に示すように、箱部２の奥行き方向（Ｄ方向）の内形寸法は、扁平形状の使い捨て収容具１の２０個分の厚み寸法とほぼ同じ大きさの奥行き寸法である。これにより、厚み方向に重ねられた２０個の使い捨て収容具１が箱部２に収容された状態において、使い捨て収容具１が箱部２の内部で移動するのが抑制される。
【００５３】
また、側面部２１は、平面的に見て矩形形状の使い捨て収容具１を取り囲むように構成されている。また、側面部２１の外側表面には商品タイトルや製造メーカ名などの標識が付されており、箱部２の上下方向が明確になっている。
【００５４】
また、上面蓋部２２は、開閉可能に構成されている。また、上面蓋部２２は、箱部２の上部全体を覆うように構成されている。また、上面蓋部２２は、側面部２１の上端部の２つの長辺の一方に連結されている。また、上面蓋部２２の先端部には、上面蓋部２２を閉じる際に側面部２１の内側に挿入する挿入部２２１が設けられている。また、側面部２１の上端部の他方の長辺には、矩形形状の切欠部２１１が形成されている。また、側面部２１の上端部の２つの短辺には、上面蓋部２２を閉じる際に内側に折り込まれる折込部２１２が連結されている。上面蓋部２２を閉じる際には、ユーザは、２つの折込部２１２を内側に水平に折り曲げた後、上面蓋部２２を箱部２の上部全体を覆う位置に移動して挿入部２２１を側面部２１の内側に挿入することによって、箱部２の上部を閉塞することが可能である。また、箱部２から使い捨て収容具１を取り出す際には、ユーザは、切欠部２１１を介して指（たとえば、親指）で挿入部２２１を押圧しながら上方に移動させることによって、容易に上面蓋部２２を開けることが可能である。
【００５５】
本実施形態では、上記のように、使い捨て収容具１を上部が開放された箱形状（図２参照）と、扁平形状（図５参照）とに変形させる折り目１５を、４つの側面部（２つの短辺側面部１２および２つの長辺側面部１３）のうち対向する２つの長辺側面部１３に設ける。このように構成することによって、使用時にユーザが長辺側面部１３を折り目１５に沿って鉛直方向（Ｚ方向）に立てるだけで扁平形状から箱形状に変形させて使い捨て収容具１として使用することができる。これにより、使用時にユーザが使い捨て収容具１をシート状部材から組み立てる必要がないので、使い捨て収容具１の使用時におけるユーザの負担を軽減することができる。また、本実施形態では、複数の使い捨て収容具１を扁平形状で厚み方向に重ねて収容する箱部２を設ける。これにより、組み立て済みの使い捨て収容具１を扁平形状で重ねて箱部２に収納することができるので、使い捨て収容具セット１００の輸送時および保管時に嵩張るのを抑制することができる。したがって、この使い捨て収容具セット１００では、使用時におけるユーザの負担を軽減しながら、輸送時および保管時に嵩張るのを抑制することができる。
【００５６】
また、本実施形態では、上記のように、折り目１５を、側面部（２つの短辺側面部１２および２つの長辺側面部１３）を立てる１回の操作によって、使い捨て収容具１を扁平形状から箱形状に変形させるように設ける。このように構成することによって、ユーザは使用時に側面部（２つの短辺側面部１２および２つの長辺側面部１３）を立てる１回の操作を行うだけで使い捨て収容具１を扁平形状から箱形状に変形させることができるので、使用時にユーザに負担が掛かるのをさらに抑制することができる。
【００５７】
また、本実施形態では、上記のように、折り目１５が設けられた２つの長辺側面部１３を使い捨て収容具１の内折れ方向（矢印Ａ２方向）に操作することにより、使い捨て収容具１が扁平形状から箱形状に変形するように構成する。このように構成することによって、ユーザは、折り目１５が設けられた２つの長辺側面部１３を外側から内側に押すだけで使い捨て収容具１を箱形状に変形させることができるので、容易に使い捨て収容具１を扁平形状から箱形状（使用状態）に変形させることができる。
【００５８】
また、本実施形態では、上記のように、２つの短辺側面部１２を使い捨て収容具１の外折れ方向（矢印Ｂ２方向）に操作することにより、使い捨て収容具１が扁平形状から箱形状に変形するように構成する。このように構成することによって、ユーザは、２つの短辺側面部１２を内側から外側に押すだけで使い捨て収容具１を箱形状に変形させることができるので、容易に使い捨て収容具１を扁平形状から箱形状（使用状態）に変形させることができる。
【００５９】
また、本実施形態では、上記のように、検体分析装置２００の廃棄ボックス２０１に設置された状態で、箱形状の側面部（短辺側面部１２および長辺側面部１３）が立った状態が保持されるように構成する。このように構成することによって、検体分析装置２００の廃棄ボックス２０１に使い捨て収容具１が設置された使用中に、使い捨て収容具１が箱形状から扁平形状に変形してしまうのを有効に抑制することができる。
【００６０】
また、本実施形態では、上記のように、折り目１５は、２つの長辺側面部１３に２つずつ、長辺側面部１３の下辺の端部から上辺まで斜めに直線状に設ける。このように構成することによって、折り目１５が単純な斜めの直線状に設けられることにより折り曲げが容易となるので、ユーザが使い捨て収容具１を容易に変形させることができる。
【００６１】
また、本実施形態では、上記のように、２つの長辺側面部１３が底面部１１に対して外折れ方向（矢印Ａ１方向）に折れるとともに、２つの短辺側面部１２が底面部１１に対して内折れ方向（矢印Ｂ１方向）に折れることにより、扁平形状に変形するように構成する。このように構成することによって、使い捨て収容具１が扁平形状に変形された場合に、短辺側面部１２と底面部１１とが重なるとともに、長辺側面部１３と底面部１１とは重ならずに長辺側面部１３が折り目１５を境界として重なる（下側部１３ａと上側部１３ｂとが重なる）ように折り畳まれる。これにより、たとえば長辺側面部１３および短辺側面部１２の両方を内折れ方向に折って互いに重なり、かつ、底面部１１とも重なるように扁平形状に変形させる場合と比べて、使い捨て収容具１の扁平形状での厚みを小さく（薄く）することができる。
【００６２】
また、本実施形態では、上記のように、長辺側面部１３の下辺の長さが、２つの短辺側面部１２の下辺から上辺までの長さ（高さ）の合計よりも大きい。このように構成することによって、対向する２つの短辺側面部１２が内折れ方向（矢印Ｂ１方向）に折れた状態で、２つの短辺側面部１２が互いに重なり合うことがない。これにより、使い捨て収容具１の扁平形状での厚みが増加するのを抑制することができる。
【００６３】
また、本実施形態では、上記のように、４つの側面部（２つの短辺側面部１２および２つの長辺側面部１３）が、それぞれ箱形状において上部ほど外側に広がるように傾斜している。このように構成することによって、ユーザが使い捨て収容具１の底面部１１を箱状の廃棄ボックス２０１（凹部２０１ａ）に挿入するのが容易になる。これにより、検体分析装置２００に設置しやすい使い捨て収容具１を提供することができる。
【００６４】
また、本実施形態では、上記のように、側面部（短辺側面部１２および長辺側面部１３）は、外形線が下端部から上端部まで略直線状に延びるように形成されている。このように形成することによって、側面部（短辺側面部１２および長辺側面部１３）の外形線に段差が形成されないので、ユーザが使い捨て収容具１の底面部１１を検体分析装置２００の廃棄ボックス２０１（凹部２０１ａ）に挿入するのがさらに容易になる。これにより、検体分析装置２００に設置しやすい使い捨て収容具１を提供することができる。
【００６５】
また、本実施形態では、上記のように、底面部１１の上面および４つの側面部（２つの短辺側面部１２および２つの長辺側面部１３）の内面にＰＰ（ポリプロピレン）フィルム（図示せず）を設ける。このように構成することによって、使い捨て収容具１が箱形状にある場合に、谷折りとなる内面側にＰＰフィルムの防水層が設けられるので、外面側にＰＰフィルムが設けられる場合と比較して、ＰＰフィルムが底面部１１と側面部（短辺側面部１２および長辺側面部１３）との境界で切れてしまうのを抑制することができる。
【００６６】
また、本実施形態では、上記のように、対向する２つの短辺側面部１２に、互いに略同一の標識（注意マーク１２ａおよびバイオハザードマーク１２ｂ）を設ける。このように構成することによって、対向する２つの短辺側面部１２の位置が互いに入れ替わった状態で使い捨て収容具が設置されたとしても、２つの短辺側面部１２の両方に略同一の標識（注意マーク１２ａおよびバイオハザードマーク１２ｂ）が付されているので、ユーザが標識（注意マーク１２ａおよびバイオハザードマーク１２ｂ）を確実に認識することができる。すなわち、使い捨て収容具１が設置される向きに関わらず、ユーザに標識（注意マーク１２ａおよびバイオハザードマーク１２ｂ）を確実に認識させることができる。
【００６７】
また、本実施形態では、上記のように、紙からなる単一のシート状部材が折り曲げられることにより使い捨て収容具１が形成されている。このように構成することによって、容易に、部材点数が増加するのを抑制することができる。したがって、この使い捨て収容具１では、使用時にユーザに負担が掛かるのを抑制しながら、輸送時および保管時に嵩張るのを抑制し、かつ、部材点数が増加するのを抑制することができる。また、紙からなるシート状部材を用いることによって、金属や樹脂を用いる場合に比べて重量を軽くすることができるので、ユーザが取り扱いやすくなる。また、天然素材の紙を用いることによって、合成樹脂などの人工的な素材を用いる場合に比べて自然環境に対する負荷を軽減することができる。
【００６８】
また、本実施形態では、上記のように、使用時に箱形状にして検体分析装置２００に設置された状態において、シート状部材が折り曲げられて重ねられた短辺側面部１２が手前側に位置するように形成する。このように構成することによって、折り曲げられて重ねられることにより機械的強度が大きくなる短辺側面部１２がユーザにより近い手前側に配置されるので、ユーザは使い捨て収容具１の機械的強度が大きい部分（短辺側面部１２）を把持しやすくなる。これにより、ユーザは、機械的強度が大きい短辺側面部１２を把持して使い捨て収容具１を安定して取り扱うことができる。
【００６９】
また、本実施形態では、上記のように、折り目１５が設けられた長辺側面部１３とは異なる短辺側面部１２が、シート状部材が折り曲げられて重ねられることにより形成されている。このように構成すれば、折り曲げられて重ねられることにより機械的強度が大きくなる部分が長辺側面部１３とは異なる短辺側面部１２に配置されるので、折り目１５が設けられた長辺側面部１３は折り畳みが容易となる。これにより、使い捨て収容具１を単一のシート状部材を折り曲げることにより形成する場合にも、使用者は、折り目１５に沿った箱形状と扁平形状との変形を容易に行うことができる。
【００７０】
また、本実施形態では、上記のように、複数の使い捨て収容具１が、扁平形状で底面部１１の短辺が箱部２の底面上に配置された状態で収容されている。このように構成することによって、扁平形状の状態の使い捨て収容具１を箱部２内で立てて収容することにより、使用時にユーザが箱部２から使い捨て収容具１を容易に取り出すことができる。また、この場合に、底面部１１の短辺が箱部２の底面上に配置されるので、たとえば折り目１５の設けられた長辺側面部１３が箱部２の底面上に配置される場合よりも、輸送時の上下方向（Ｚ方向）の衝撃に対して強くすることができる。
【００７１】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００７２】
たとえば、上記実施形態では、折り目が長辺側面部に設けられた構成の例を示したが、本考案はこれに限られない。本考案では、折り目が短辺側面部に形成される構成であってもよい。
【００７３】
また、上記実施形態では、側面部（短辺側面部１２および長辺側面部１３）を立てる１回の操作によって、使い捨て収容具が扁平形状から箱形状に変形するように構成した例を示したが、本考案はこれに限られない。本考案では、２回以上の操作によって、使い捨て収容具が扁平形状から箱形状に変形するように構成してもよい。また、側面部を立てる操作以外の操作によって使い捨て収容具が扁平形状から箱形状に変形するように構成してもよい。ただし、変形のための操作の回数が少ないほど、使用時におけるユーザの負担が軽減される。
【００７４】
また、上記実施形態では、底面部が長方形形状を有する構成の例を示したが、本考案はこれに限られない。本考案では、底面部が正方形形状を有してもよい。底面部は、矩形形状であればよい。
【００７５】
また、上記実施形態では、長辺側面部が外折れ方向（矢印Ａ１方向）に折れるとともに、短辺側面部が内折れ方向（矢印Ｂ１方向）に折れることにより、使い捨て収容具が扁平形状に変形するように構成した例を示したが、本考案はこれに限られない。本考案では、長辺側面部および短辺側面部の両方が内折れ方向に重なるように折れることにより、使い捨て収容具が扁平形状に変形するように構成してもよい。この場合、扁平形状での使い捨て収容具の厚みは大きくなるが、平面寸法を小さくすることができる。
【００７６】
また、上記実施形態では、シート状のボール紙を組み立てることにより使い捨て収容具が形成される例を示したが、本考案はこれに限られない。本考案では、折り畳み可能であれば、紙以外の材料により本考案の使い捨て収容具を形成してもよい。
【００７７】
また、上記実施形態では、使い捨て収容具を側面折込部１２２の折込端部１２２ｂを用いて接着剤を使用せずに製造する構成の例を示したが、本考案はこれに限られない。本考案では、接着剤を用いて使い捨て収容具を製造する構成であってもよい。この場合には、折込端部１２２ｂなど、接着剤を使用しないために設けた部分を省略することができる。
【００７８】
また、上記実施形態では、使い捨て収容具が箱形状の状態で、４つの側面部（短辺側面部１２および長辺側面部１３）が上部ほど外側に広がるように傾斜する構成の例を示したが、本考案はこれに限られない。本考案では、たとえば対向する２つの側面部のみが上部ほど外側に傾斜するように構成してもよい。また、４つの側面部がすべて傾斜せずに直立するように構成してもよい。
【００７９】
また、上記実施形態では、外形線が下端部から上端部まで略直線状に延びるように側面部（短辺側面部１２および長辺側面部１３）を構成する例を示したが、本考案はこれに限られない。本考案では、外形線が曲線になるように側面部を構成してもよいし、外形線が屈曲するように側面部を構成してもよい。
【００８０】
また、上記実施形態では、側面部のうちの対向する２つの短辺側面部に同一の標識を付した構成の例を示したが、本考案はこれに限られない。本考案では、対向する２つの長辺側面部に略同一の標識を付す構成であってもよい。
【００８１】
また、上記実施形態では、単一のシート状部材（ボール紙）を折り曲げることにより使い捨て収容具を形成する例を示したが、本考案はこれに限られない。本考案では、複数のシート状部材を折り曲げたり繋ぎ合わせたりして使い捨て収容具を形成してもよい。
【００８２】
また、上記実施形態では、本考案の使い捨て部品の一例として、キュベットを示したが、本考案はこれに限られない。本考案では、検体分析装置によって使用される使い捨て部品であれば、たとえば、ピペットに装着される分注チップなど、キュベット以外の使い捨て部品であってもよい。
【００８３】
また、上記実施形態では、２０個の使い捨て収容具を収容可能な箱部の例を示したが、本考案はこれに限られない。本考案では、複数の使い捨て収容具を収容可能であれば、２０個以外の個数の使い捨て収容具を収容する箱部であってもよい。
【００８４】
また、上記実施形態では、使い捨て収容具が、扁平形状で箱部内に立てた状態（底面部の短辺が箱部の底面上に配置される状態）で収容されるように構成した例を示したが、本考案はこれに限られない。たとえば、使い捨て収容具の底面部の外表面が箱部の底面上に配置される状態で、使い捨て収容具が積み上げられるように箱部に収容されてもよい。
【符号の説明】
【００８５】
１  使い捨て収容具
２  箱部
１１  底面部
１２  短辺側面部（側面部、第２側面部）
１２ａ  注意マーク（標識）
１２ｂ  バイオハザードマーク（標識）
１３  長辺側面部（側面部、第１側面部）
１５  折り目
１００  使い捨て収容具セット
２００  検体分析装置
２０１  廃棄ボックス（使い捨て収容具設置部）
３００  キュベット（使い捨て部品）
【図１】
0003162942.tif 000003
【図２】
0003162942.tif 000004
【図３】
0003162942.tif 000005
【図４】
0003162942.tif 000006
【図５】
0003162942.tif 000007
【図６】
0003162942.tif 000008
【図７】
0003162942.tif 000009
【図８】
0003162942.tif 000010
【図９】
0003162942.tif 000011
【図１０】
0003162942.tif 000012
【図１１】
0003162942.tif 000013
【図１２】
0003162942.tif 000014
【図１３】
0003162942.tif 000015
【図１４】
0003162942.tif 000016
【図１５】
0003162942.tif 000017
【図１６】
0003162942.tif 000018
【図１７】
0003162942.tif 000019